(57)【要約】【課題】風力発電装置の運転状態の簡単な監視を可能にする方法を提案する。既存の風力発電装置において簡単に追加装備可能である低コストで冗長性を備えた方法を提案する。【解決手段】本発明は、ナセルを備えた風力発電装置を監視するための方法に関し、該方法は、以下のステップ、即ち、ナセルの外側でナセルに配設された少なくとも１つの音響センサを用いて騒音を記録するステップと、記録された騒音を、風力発電装置の運転状態を認識するために評価するステップとを含む。【選択図】図１
2018529883.tif 000002
【特許請求の範囲】
【請求項１】
ナセルを備えた風力発電装置を監視するための方法であって、
以下のステップ、即ち、
−  前記ナセルの外側で前記ナセルに配設された少なくとも１つの音響センサを用いて騒音を記録するステップと、
−  記録された騒音を、前記風力発電装置の運転状態を認識するために評価するステップと
を含むこと
を特徴とする方法。
【請求項２】
前記音響センサは、前記ナセルの上に配設されていること
を特徴とする、請求項１に記載の方法。
【請求項３】
前記運転状態を認識するために、前記風力発電装置の音響パワーレベルが記録されること
を特徴とする、請求項１又は２に記載の方法。
【請求項４】
騒音の記録は、方向感度をもって行われること
を特徴とする、請求項１〜３のいずれか一項に記載の方法。
【請求項５】
騒音の記録は、ロータブレードの着氷に割り当て可能な騒音が発生する少なくとも１つの周波数帯において行われること
を特徴とする、請求項１〜４のいずれか一項に記載の方法。
【請求項６】
騒音の記録及び／又は評価は、前記風力発電装置の停止状態において行われること
を特徴とする、請求項１〜５のいずれか一項に記載の方法。
【請求項７】
前記運転状態を認識するための記録された騒音の評価は、外部で、特に所定の監視箇所により行われること
を特徴とする、請求項１〜６のいずれか一項に記載の方法。
【請求項８】
前記運転状態を認識するための記録された騒音の評価は、スペクトル分析を用いて行われること
を特徴とする、請求項１〜７のいずれか一項に記載の方法。
【請求項９】
少なくとも１つの風力発電装置の運転を制御するための方法であって、
以下のステップ、即ち、
−  風力発電装置のナセルの外側でナセルに配設された音響センサを用いて風力発電装置の騒音を記録するステップと、
−  記録された騒音を、前記音響センサを含む風力発電装置の運転状態を認識するために評価するステップと、
−  風力発電装置の運転を、前記音響センサを含む風力発電装置の前記運転状態に依存して制御するステップと
を含むこと
を特徴とする方法。
【請求項１０】
記録された騒音に依存し、少なくとも、
−  ロータブレードのピッチ角、
−  方位角、
−  風力発電装置の定格出力、及び、
−  風力発電装置の定格回転数
から成るリストから、少なくとも１つの状態が制御されること
を特徴とする、請求項９に記載の方法。
【請求項１１】
前記ナセルに配設された前記音響センサは、外部からの照会に対し、記録された騒音を、外部に提供し、特に照会を行った所定のユニットへ伝送すること
を特徴とする、請求項９又は１０に記載の方法。
【請求項１２】
前記音響センサは、自給式で、特に独立した装置として構成されており、及び／又は、前記風力発電装置又は風力発電装置は、記録された騒音に依存して外部から制御されること
を特徴とする、請求項９〜１１のいずれか一項に記載の方法。
【請求項１３】
請求項１〜８のいずれか一項に記載の風力発電装置を監視するための方法が使用されること
を特徴とする、請求項９〜１２のいずれか一項に記載の方法。
【請求項１４】
ナセルを備えた風力発電装置を監視するための監視装置であって、
−  前記ナセルの外側で前記ナセルに配設された、騒音を記録するための音響センサと、
−  前記風力発電装置の運転状態を認識するために、記録された騒音を評価するための評価装置と
を含んでいること
を特徴とする監視装置。
【請求項１５】
前記監視装置は、請求項１〜１３のいずれか一項に記載の方法を実行するように準備されており、及び／又は、前記音響センサは、複数のマイクロホン、特に複数のマイクロホンから成るアレーを有すること
を特徴とする、請求項１４に記載の監視装置。
【請求項１６】
データを交換するため、特に前記音響センサにより記録されたデータを伝送するため、及び／又は前記評価装置により評価されたデータを伝送するために、データインタフェースが設けられていること
を特徴とする、請求項１４又は１５に記載の監視装置。
【請求項１７】
ナセルと、前記ナセルの外側で前記ナセルに配設された、騒音を記録するための少なくとも１つの音響センサとを備えた風力発電装置であって、
−  請求項１４〜１６のいずれか一項に記載の監視装置が使用され、及び／又は、
−  請求項１〜１３のいずれか一項に記載の方法が実行されること
を特徴とする風力発電装置。
【請求項１８】
少なくとも２つの風力発電装置を含むウインドパークであって、
請求項１７に記載の風力発電装置が少なくとも１つ使用され、及び／又は、請求項１〜１３のいずれか一項に記載の方法が実行されること
を特徴とするウインドパーク。
【請求項１９】
少なくとも２つの風力発電装置を含むウインドパークであって、
前記風力発電装置は、相互接続されており、特に請求項１４〜１６のいずれか一項に記載の監視装置の少なくとも１つを介してデータを交換するために準備されていること
を特徴とするウインドパーク。
【発明の詳細な説明】
【技術分野】
【０００１】
本発明は、風力発電装置を監視するための方法、並びに風力発電装置を制御するための方法に関する。更に本発明は、風力発電装置に関する。
【背景技術】
【０００２】
風力から電流を発生させて、電流を電力供給系統（給電網）へ供給する風力発電装置は、一般的に知られている。図１には、そのような風力発電装置の一例が模式的に図示されている。
【０００３】
そのような風力発電装置の効率的な制御のためには、風力発電装置ができるだけ最適の動作点で運転されることが可能であるように或いは風力発電装置の障害が早期に検知されるように、風力発電装置の運転状態を検知するないし監視することが特に有利である。
【０００４】
そのために最新の風力発電装置は、通常、多数の監視装置を使用し、これらの監視装置は、個々の運転手段の状態を監視するために、特に風力発電装置の問題の多い箇所に配設されている。
【０００５】
例えば下記特許文献１からは、ロータブレードの内部に配設されている、ロータブレードを監視するための装置が公知である。
【先行技術文献】
【特許文献】
【０００６】
【特許文献１】WO 02/053910 A1
【特許文献２】DE 10 2008 026 842 B3
【特許文献３】US 2009/0169378 A1
【特許文献４】US 2009/0039650 A1
【特許文献５】US 2013/0268154 A1
【発明の概要】
【発明が解決しようとする課題】
【０００７】
上記特許文献１による装置において、特に、例えばナセル内にあるような更なる運転手段を監視するために更なる監視装置が必要とされることは、不利である。
【０００８】
それに加え、上記特許文献１で示されているような監視装置は、高い費用をかけてのみ、既存の風力発電装置に追加装備可能であるということが挙げられる。
【０００９】
尚、ドイツ特許商標庁は、本出願の優先権出願について、上記特許文献２、上記特許文献３、上記特許文献４、並びに上記特許文献５を調査した。
【００１０】
本発明の課題は、上述の問題点の少なくとも１つに対処することである。特に既知の従来技術が改善され、風力発電装置の運転状態の簡単な監視を可能にする方法が提案されるべきあり、及び／又は、既存の風力発電装置において簡単に追加装備可能である低コストで冗長性を備えた方法が提案されるべきである。また少なくとも今まで既知の解決策に対して代替的な解決策が提案されるべきである。
【課題を解決するための手段】
【００１１】
本発明により、請求項１に記載の方法が提案される。
【発明を実施するための形態】
【００１２】
以下、発明を実施するための形態について説明する。
【００１３】
本発明により、ナセルを備えた風力発電装置を監視するための方法が提案され、該方法においては、ナセルの外側でナセルに配設された音響センサを用いて騒音が記録され、記録された騒音は、引き続き、風力発電装置の運転状態を認識するために評価される。
【００１４】
この際、マイクロホンとも称することのできる音響センサは、該音響センサが少なくとも部分的に風力発電装置の運転騒音を検知するように、ナセルの外側でナセルに配設されている。
【００１５】
この際、運転騒音とは、実質的に風力発電装置の個々の運転手段により引き起こされる騒音として理解される。それには、例えば、発電機の運転音（うなるような音）、ロータブレードにおける流れ剥離の際に発生する騒音などが挙げられる。しかし好ましくは、音響センサは、所定の騒音を更に評価するために、先ずは全ての騒音を記録する。
【００１６】
本発明により、騒音評価を介し、極めて多くの状態と特性が検出可能であることが認識された。つまり例えば、風向きとピッチ角に応じ、ロータブレードにおいて風流の空気力学的に異なる剥離特性が生じ、このことは、音響的に測定可能な所定の騒音を結果としてもたらす。この際、ナセルの外側に騒音センサを配設することにより、特にその以外の場合には良好に検知することのできない状態を検知することが可能である。それには、ロータブレードの凍結や汚染、風の好ましくない流れ、例えば落雷によりロータブレードに起こり得る損傷などが挙げられる。同様にロータブレードにおける腐食を認識することも可能であり、又は少なくともそのために、検知された騒音において、腐食のない状態との違いを認識することが可能である。従って音響センサを用いることにより、少なくともロータブレード状態監視を実行することが可能であり、また提案された方法は、更に支配的な風の特性を検知するように準備されている。
【００１７】
この際、記録された騒音は、風力発電装置の運転状態、及び／又は天候条件が導き出されるように評価される。この際、例えば他の風力発電装置又は周辺環境により発生する万一の妨害音を除去するために、記録された騒音を最初のステップでフィルタリングすることは、有利である。
【００１８】
次いで、騒音は、拡張された音分析ないしスペクトル分析を用いて評価され、特に既知の騒音（基準となる騒音）ないし既知の騒音のスペクトルと比較されることが可能である。
【００１９】
それにより本発明による方法は、少なくとも、失速現象（Stalleffekte）及びせん断現象を検知するため、風力発電装置の音響パワーレベルを測定するため、ロータブレードの状態を監視するため、そして空気力学的な剥離騒音に基づいてピッチ制御を最適化するように準備されている。そのような状態又は状態変化は、部分的に、記録された信号の種類に関し、及び／又は、記録された信号の音の強さと場所に関して、認識され又は識別されることが可能である。例えばせん断現象の検出のためのような幾つかのケースにおいては、方向（方位）感度も識別のために役に立つであろう。
【００２０】
好ましくは、音響センサは、風力発電装置のナセルの上に配設され、特にナセルの最上点に配設されている。また複数のセンサを使用することも可能であり、或いはセンサとして複数のマイクロホンを使用することも可能である。更にマイクロホンのアレーの使用も考慮され、有利な一実施形態として提案される。複数のマイクロホンの使用により、特に複数のマイクロホンから成るアレーの使用により、特に方向感度を伴う機能を実施することができる。また冗長性を達成することも可能であり、それにより１つのマイクロホンが故障した場合でも、本方法は、実質的に引き続き作動可能である。
【００２１】
音響センサをナセルの上に配設することにより、つまりナセルの最も幅広の箇所の上に配設することにより、音響センサは、風力発電装置全体を音響的に検知するために、特に有利なポジションを有する。
【００２２】
特にこのポジションは、例えばナセルやロータブレードのような個々の運転手段の様々な運転状態を同時に検知することに適している。
【００２３】
更にロータブレードを検知するために、風力発電装置の他の運転手段に対する間隔（距離）ができるだけ大きくなるように、音響センサをナセルの最上点に配設することは有利であり、これは、特に、ロータブレードの流れ剥離を検知するために比較的高い測定精度が達成されるように、他の運転手段による流れ剥離の影響を最小化するためである。
【００２４】
この際、流れ剥離（Stroemungsabriss）とは、実質的に、風が吹き付ける運転手段の表面、特にロータブレードの表面からの、気流の剥離（Abloesung）、特に層流の剥離として理解され、この際、流れ剥離は、失速（Stall）ないし失速現象（Stalleffekt）と称することもできる。
【００２５】
つまり本方法は、風力発電装置を制御することもできる少なくとも１つのロータブレード状態監視機能を含んでいる。
【００２６】
好ましくは、運転状態を認識するために、風力発電装置の音響パワーレベルが記録され、ないし評価される。
【００２７】
この際、音響パワーレベルとは、少なくとも１つの騒音センサにより記録される放出騒音（Schall-Immission）として理解される。放出騒音は、放出騒音を能動的に引き起こす根源を風力発電装置に有しており、つまり例えば、ロータブレード、発電機、方位角調整装置、又は他のコンポーネントにより引き起こされる。（音響パワーレベルは、その音源に固有の量で、原理的には音源によってのみ規定されている。測定環境には無関係なので、音源の運転条件などが変わらないかぎり、どこにおいてもこの値は変わらない。）
【００２８】
従って風力発電装置の音響パワーレベルは、ナセルにおいて検知可能であり風力発電装置により引き起こされる全ての運転騒音の全部から構成されている。つまり音響センサは、少なくともこれらの運転手段を音響的に検知するように準備（適合）されている。
【００２９】
そのために音響センサは、例えば、高感度マイクロホンとして構成されている。
【００３０】
好ましくは、騒音の記録（騒音の録音）は、方向感度をもって行われる。
【００３１】
そのために、例えば、音響センサは、複数の記録セクタを有し、この際、個々のセクタは、オンオフ可能である。それにより記録された騒音を、各部分騒音に１つの方向が割り当て可能であるように、複数の部分騒音に分解することが可能である。
【００３２】
従って簡単に、騒音の方向を決定すること、及び／又は、記録内容及び／又は評価内容を最初のフィルタリング段階でフィルタリングすることが可能である。
【００３３】
この際、記録内容及び／又は評価内容の品質を改善するために、万一の騒音の重なり合い及び／又はその結果としての誤差が目標を定めて最小化可能であることは、特に有利である。方向に依存する記録により、場合により、騒音の発生個所を良好に突き止めることも可能である。
【００３４】
特に有利な一実施形態において、音響センサは、更に指向特性を有し、該指向特性は、実質的に風力発電装置の運転騒音だけを検知するように、つまり妨害音の来る所定の方向を検知しないように準備されている。この際、マイクロホンは、例えば、全指向性又はカージオイド指向性（心臓形の指向性）（Kugel- oder eine Nierencharakteristik）を有する。
【００３５】
好ましくは、騒音の記録は、ロータブレードの着氷に割り当て可能な騒音が発生する少なくとも１つの周波数帯において行われる。
【００３６】
風力発電装置の能動的な運転騒音の他に、風力発電装置自体だけから引き起こされるわけではない運転騒音も検知される。
【００３７】
それには、例えば、ロータブレードにおける着氷により生じる騒音も含まれる。ロータブレードの実施形態に応じ、ロータブレードにおける着氷は、特徴的な騒音を発生させる乱流をもたらし、その特徴的な騒音は、音響センサにより検知可能な所定の周波数帯内にある。そのうえ又はそれに加え、同様に特徴的な騒音をもたらすことのできる流れ剥離が発生することもある。
【００３８】
特にそれにより、例えば着氷のような所定の天候状況を示唆する、風力発電装置における所定の流れ剥離を検知することが可能である。
【００３９】
従って音響センサを用い、本方法は、天候ないし支配的な天候条件を間接的に検知するように準備（適合）されている。
【００４０】
好ましくは、騒音の記録及び／又は評価は、風力発電装置の停止状態において行われる。
【００４１】
従って前記音響センサ、ないし所定の音響センサを有する監視装置は、風力発電装置の停止状態においても、騒音を検知するために使用される。それにより、測定すべき値のために更なるセンサが設けられている場合には、冗長性を備えた測定システムも達成可能である。例えば、所定の風速計により検知された風速を、放出出力やブレード位置のような運転パラメータに基づいて検査することは知られている。しかしこのことは、風力発電装置の運転時にのみ機能する。しかしここで提案された方法が停止状態においても使用可能であることにより、完全に冗長性を備えた風測定システムを達成することができる。
【００４２】
風力発電装置の停止状態において騒音を記録及び／又は評価することにより、風力発電装置が再び始動される前に、風力発電装置の運転状態を検知することが更に可能である。それにより風力発電装置がスタート可能であるように風条件が変わる時点を認識することも可能である。
【００４３】
停止状態において、例えば、風による騒音は、ロータブレードにおいて、ナセルにおいて、ナセル構造体において、又はタワーにおいて発生し、特徴的な音を含むことが可能であり、これらの特徴的な音は、例えば、風力と風向きに関する情報を与えてくれる。
【００４４】
好ましくは、運転状態を認識するための記録された騒音の評価は、外部で、特に所定の監視箇所により行われる。
【００４５】
記録された騒音の評価、即ち風力発電装置の音響パワーレベルの評価は、好ましくは、例えば必要に応じてマイクロホンに接続した所定の監視所又は監視箇所において行われる。つまり監視所がマイクロホンへ接続した場合、騒音は、この監視所に伝送される。このことは、例えば、送信器を用いて及び／又はインターネットを介して行うことが可能である。
【００４６】
それにより装置運転員は、風力発電装置をその運転状態に依存せずに監視することができる。この際、装置運転員が風力発電装置のある損傷を確認すると、装置運転員は、それに対応して修理作業のために整備作業員を準備することができる。
【００４７】
この際、整備作業員が現地に到着する前にエラーを既に把握していることは、特に有利であり、このことは、組立時間（整備時間）を明らかに短縮する。
【００４８】
好ましくは、運転状態を認識するための記録された騒音の評価は、スペクトル分析を用い、特に高速フーリエ変換（FFT）又は狭帯域分析を用いて行われる。
【００４９】
従って騒音の評価は、騒音が個々の周波数帯へ分解される分析方法を用いて行われる。
【００５０】
この際、複数の周波数帯への分解は、好ましくは、これらの周波数帯が、運転手段の対応の既知の周波数帯を有するように行われる。従って当該分析方法により生成された周波数帯を、簡単に且つ目的に適い、既知の周波数帯と比較することが可能である。そのような既知の周波数帯は、予め測定されて適切に保存（記憶）可能である。それにより各装置状態は、個々に固有の「指紋」をもつことができる。
【００５１】
風力発電装置のロータが例えば１分あたり１２回転の回転数で回転する場合、このことは、０.２Ｈｚの周波数に対応するが、例えば、３つのロータブレードが設けられているのであれば、タワーのところでのロータブレードの通過は、３×０.２Ｈｚの周波数で発生することになる。この例示の３×０.２Ｈｚとは異なる万一のより低い又はより高い周波数は、風力発電装置が最適の作動点にはなく、風力発電装置がそれに対応して調整されなくてはならないことを示唆しているであろう。
【００５２】
分析法としては、スペクトル分析の他に、高速フーリエ変換、狭帯域分析、例えば包絡線を用いたインコヒーレント復調を選択することも可能であり、この際、方法の分解能は、運転手段の異なる周波数帯の間が適切に区別できるように選択されるべきである。しかしこの際、当業者には周知の他の振幅変調法を使用することも可能である。
【００５３】
好ましくは、少なくとも１つの風力発電装置の運転を制御するための方法が提案され、該方法においては、風力発電装置のナセルの外側でナセルに配設された音響センサを用いて風力発電装置の騒音が記録され、記録された騒音は、音響センサを含む風力発電装置の運転状態を認識するために評価され、風力発電装置の運転は、音響センサを含む風力発電装置の運転状態に依存して制御される。
【００５４】
従って風力発電装置の運転、特に音響センサを含む風力発電装置の運転は、記録された騒音に依存して制御され、この際、更なる入力値（入力パラメータ）を考慮することができる。例えば、騒音レベルが高すぎる場合、特に騒音レベルが特殊な場合ないし振幅経過が特殊な場合、ピッチ調整装置は、風力発電装置の騒音レベルが減少されるように制御される。また風力発電装置の更なる損傷をもたらす可能性のある深刻な障害を示唆する不利な騒音レベルないし高すぎる騒音レベルがある場合には、風力発電装置を停止することも可能である。
【００５５】
この際、記録された騒音は、風力発電装置の運転手段の少なくとも１つの騒音を含んでいる。従って音響センサは、風力発電装置のために固有の騒音を検知するため、特に例えばピッチ駆動部のような運転手段の周波数帯を検知するように準備（適合）されている。しかしまた、例えば所定の周波数に対して所定の振幅及び／又は所定の振幅分布を有する特殊な特性を検知することも可能である。
【００５６】
それにより風力発電装置を制御するための提案された方法は、風力発電装置を制御するための冗長性を備えた方法として構成されていることが可能であり、それは、当該方法は、少なくとも１つの実施形態に従って説明された監視方法を冗長性を備えた方法として使用するためである。そのような監視方法を使用することにより、特にこの監視の結果が、追加的な測定値として、冗長性のため、チェックのため、又はより大きな測定データベースを作成するための追加情報として入ってくることにより、装置制御の最適化を達成することも可能である。特にそれにより風力発電装置の収率を最適化することが提案される。
【００５７】
更に一実施形態により、本発明を用い、異常のある運転状態を認識した場合に風力発電装置を出力抑制する（drosseln）又は停止する（herunterfahren）ことが提案される。
【００５８】
有利な一実施形態において、この方法を用い、第２の風力発電装置が制御される。特に損傷が確認された場合、損傷のある風力発電装置は出力抑制され、当該出力抑制に対応する出力の少なくとも１つの第２の風力発電装置が始動される。
【００５９】
好ましくは、記録された騒音に依存し、少なくとも、
−  ロータブレードのピッチ角
−  方位角
−  風力発電装置の定格出力、及び、
−  風力発電装置の定格回転数
から成るリストから、少なくとも１つの状態が制御される。
【００６０】
従って、例えば収率の最適化のために、ロータブレードのピッチ角又は風力発電装置の方位角が、記録された騒音に依存して制御される。つまり風力発電装置は、収率を最適化するために、例えば検知されたロータブレードにおける流れ剥離に依存し、風の中で配向される。
【００６１】
更に本方法は、所定の保証値を守りながら、特に所定の環境騒音規定を守りながら、風力発電装置の収率を最大化するために最大可能な音響パワーレベルで運転されるように、風力発電装置の音響パワーレベルを調整するために使用されることも可能である。
【００６２】
好ましくは、ナセルに配設された音響センサは、記録された騒音を、外部からの照会に対し、特に照会を行った所定のユニットに対して提供するよう準備（適合）されている。
【００６３】
つまり音響センサは、記録された騒音を、例えばインターネット伝送を介して所定の外部のユニットへ転送するように準備されている。外部のユニットとは、特に風力発電装置及び／又はウインドパークの制御のために用いられる制御センタ（ないしコントロールルーム）又は監視箇所として理解される。
【００６４】
例えばテクニカルオフィススタッフ（technischer Innendienst）がオンラインでマイクロホンに接続し、ないし音の記録を聞き、風力発電装置に赴くことなく放出騒音の直接的な印象を得ることができる。
【００６５】
騒音を外部で評価する場合、監視所ないしテクニカルオフィススタッフが、風力発電装置の停止状態又はブラックアウト状態においても、風力発電装置の運転状態を検査するために、音響センサに接続可能であることは、特に有利である。
【００６６】
好ましくは、音響センサは、自給式（autark）で構成されており、及び／又は、風力発電装置は、記録された騒音に依存して外部から制御される。
【００６７】
つまり音響センサが単に機械的に風力発電装置に固定されているように音響センサを構成することが提案される。従って音響センサは、少なくとも、記録された騒音を監視所へ伝送し、特にストリーミングするために、固有の電力供給部とデータインタフェースを有する。
【００６８】
つまり音響センサは、風力発電装置において簡単に追加装備可能な独立したモジュールを構成する監視装置の一部である。
【００６９】
更に風力発電装置を、外部から、つまり例えば所定の監視所により制御することが提案される。
【００７０】
従って音響センサは、風力発電装置の制御装置と直接的に接続されているわけではない。データは、先ず監視所ないしコントロールルームに送られ、そこで評価される。それから引き続き、監視所は、音響センサを有する風力発電装置を、録音された騒音に依存して始動することが可能であり、特に監視所は、音響センサを有する風力発電装置を、記録された騒音に依存して制御することが可能である。
【００７１】
この際、提案された方法が、冗長性を備えた測定と、風力発電装置の重ね合わされた調整（ないし制御）との双方を可能とすることは、特に有利である。従って風力発電装置の運転員は、自給式の測定により風力発電装置の運転に介入することができる。このことは、特に、例えば誤った風向きを表す故障した風向計により、風力発電装置が内部の制御エラーを有する場合に、特に望まれる。つまりそのような場合には、風力発電装置は、風に対して斜めに配向しており、このことは、多大な収率低下を結果としてまねくことになる。
【００７２】
好ましくは、風力発電装置を制御するために、上述の実施形態の少なくとも１つによる監視のための方法が使用される。
【００７３】
つまり風力発電装置を制御するための方法は、風力発電装置を監視するための上述のステップの少なくとも１つを含んでいる。
【００７４】
好ましくは、ナセルを備えた風力発電装置を監視するための監視装置が提案され、この際、監視装置は、ナセルの外側でナセルに配設された、騒音を記録するための音響センサと、風力発電装置の運転状態を認識するために、記録された騒音を評価するための評価装置とを含んでいる。それに加え、音響センサは、耐候性であり、特に風、雨、その他、雪、あられ、ひょうなどにさらされてもよいことが提案される。
【００７５】
従って監視装置は、風力発電装置上に設置するために準備（適合）されており、風力発電装置の運転騒音スペクトルを検知することのできる少なくとも１つの音響センサを有する。特に音響センサは、この騒音スペクトルを、高い感度で、例えば高い方向感度で検知することが可能である。
【００７６】
また監視装置は、記録された騒音を所定の監視所へ伝送するため、及び／又は記録された騒音を所定の記憶部（メモリ）を用いて後の外部からのアクセスのために提供可能であるように、送信機及び／又は受信機を含んでいる。更に監視装置は、風力発電装置に依存しない電力供給部を有しており、また風力発電装置のナセルに固定されるように準備されている。
【００７７】
好ましくは、監視装置は、上述の方法の１つを実行するように準備されている。特に少なくとも１つの実施形態による方法の１つのステップ又は複数のステップが監視装置の所定のプロセスユニットに実装されていることが提案される。
【００７８】
好ましくは、監視装置は、データを交換するため、特に音響センサにより記録されたデータを伝送するため、及び／又は評価装置により評価されたデータを伝送するために、データインタフェースを有する。データの交換は、特に監視装置のプロセス制御ユニットと、外部の装置、特にコントロールルームとの間で行われることが提案される。
【００７９】
またナセルと、ナセルの外側でナセルに配設された、騒音を記録するための音響センサとを備えた風力発電装置も提案され、この際、風力発電装置は、少なくとも１つの上述の実施形態による監視装置を使用し、及び／又は少なくとも１つの上述の実施形態による方法を実行する。
【００８０】
更に少なくとも２つの風力発電装置を含むウインドパークも提案され、この際、少なくとも１つの風力発電装置は、監視装置を上述したように有し、及び／又は上述の方法ステップの少なくとも１つを実行するように準備されている。
【００８１】
好ましくは、ウインドパークの風力発電装置は、特に風力発電装置を、記録された騒音に依存して制御するために、記録された騒音及び／又は評価された騒音を交換するために相互接続（ネットワーク化）されている。
【００８２】
従って、ウインドパークを、記録された騒音に依存して制御することが提案される。
【００８３】
騒音においては、着氷があるか否かを認識することが可能であり、それは、氷が騒音スペクトルを変化させるためである。特にロータブレードは、氷を有すると、他の騒音を発し、この際、騒音は、ロータブレードが動いているか否か、ロータブレードがどのように動いているか、そしてロータブレードがどのような速さで動いているか、並びに場合によりどのロータブレード角が設定されているかを判別させる。また停止状態においても、幾らか風が吹いているのであれば、着氷により変化される騒音が発生する。場合により落下する氷からの騒音もある。またロータブレードの長さにわたっても異なる騒音が発生されることがあり、それから氷の位置を導き出すことを試みることができる。
【００８４】
ロータブレードに汚染や損傷がある場合にも、これらは、ロータブレードから発せられる騒音を変化させる。ここでもロータブレード上の位置が騒音に対して影響を及ぼすことになる。
【００８５】
例えば、汚れがなく綺麗で、着氷がなく、損傷もないロータブレードに対し、所定の騒音スペクトルを割り当てることが可能である。この騒音スペクトルが、通常通りであれば、即ち予め記録されたものと同様であれば、該当のロータブレードは、全て正常であろう。しかし差異が生じると、即ち何かが欠如していると、ロータブレードには変化があったはずであり、この変化は、場合により場所に関しても種類に関しても更に正確に割り当て（分類）されることが可能である。しかし通常の騒音スペクトルにおいて何も欠如してなく、ところが何かが付加されているのであれば、このロータブレードは変化してなく、追加部分は他の原因を有することを意味するであろう。
【００８６】
以下、添付の図面に関連し、実施例に基づき、例を使って本発明を詳細に説明する。
【図面の簡単な説明】
【００８７】
【図１】一風力発電装置の概要図を示す図である。
【図２ａ】風力発電装置の概要を上方から見た図として示す図である。
【図２ｂ】風力発電装置の概要を図２ａによる上方から見た図として示す図であるが、この際、風力発電装置は、ロータブレードに着氷を伴っている。
【図３】一実施形態による風力発電装置を監視するための方法の手順を示す図である。
【図４】一実施形態による風力発電装置を制御するための方法の手順を示す図である。
【図５】一スペクトル分析の概要図を示す図である。
【実施例】
【００８８】
図１は、タワー１０２とナセル１０４を備えた風力発電装置１００を示している。ナセル１０４には、３つのロータブレード１０８と１つのスピナ１１０とを備えたロータ１０６が設けられている。ロータ１０６は、運転時には風力により回転運動を行い、それによりナセル１０４内の発電機を駆動する。ナセル１０４の外側でナセル１０４には、１つの音響センサ１１４が配設されており、選択的に例えば２つの音響センサ１１４を設けることも可能である。
【００８９】
図２ａは、図１による風力発電装置２００を上方から見た図として示しており、この際、ナセル２０４に回転可能に固定されたロータ２０６は、具体的な説明のために３つのロータブレードのうち１２時ポジションにある１つのロータブレード２０８だけを有している。更にナセル２０４の上側でナセル２０４には器具支持体２１２が固定されており、器具支持体２１２は、１つの音響センサ２１４、特に本発明による監視装置２１４を有している。
【００９０】
ロータブレード２０８は、ロータ２０６と共に、ナセル２０４のその他の部分に対して回転可能に配設されている。風Ｗにより、ロータブレード２０８は、矢印で特徴付けられた回転方向２１６へ回転する。この際、ロータブレード２０８は、流れ剥離２１８を引き起こし、流れ剥離２１８は、風方向Ｗから見るとロータブレード２０８の後方に位置している。尚、本図は、模式的な図であり、特に流れ剥離を単に模式的に図示していることを付言する。
【００９１】
従ってここでは単に簡素化されて図示された層状の流れ剥離２１８は、騒音のかたちで測定可能であり、マイクロホンとして構成されている音響センサ２１４により検知される。風Ｗに対するロータブレード２０８の迎角と位置により、流れ剥離２１８は、変化することになる。
【００９２】
例えば、層流の剥離は、ロータブレード表面の他の一点で行われるか、又は、層流は、ロータブレードにおいて乱流に急変する。特にピッチ角（ピッチ角の違い）により引き起こされる、流れ剥離のそのような更なる変化を、本発明に従い、音響センサにより検知して評価することが可能である。
【００９３】
実質的に図２ａに対応する図２ｂは、図１による風力発電装置２００の同じ描写を示しているが、この際、ロータブレード２０８は、凍結２３０を伴い、凍結２３０は、着氷２３０と称することもできる。
【００９４】
着氷２３０は、氷を伴わないロータブレード２０８と異なり、変化した流れ剥離２３８を引き起こし、この変化した流れ剥離２３８は、同様に単に簡素化されて図示されている。この変化した流れ剥離２３８は、同様に騒音のかたちで測定可能であり、マイクロホン２１４により検知される。そのように記録された騒音は、氷を伴わないロータブレードの騒音とは認識（判別）可能に異なっており、それによりロータブレード２０８における着氷２３０が簡単な比較により認識される。
【００９５】
図２ａも図２ｂも、一風力発電装置の一運転手段の運転状態を検知するための一例に過ぎない。音響センサと、提案された方法は、例えば、発電機やナセルのような他の運転手段の他の運転状態を検知するためにも適している。従って他の運転状態の検知は、記録された同じ騒音により同時に行うことが可能である。
【００９６】
図３は、概要３００として、有利な一実施形態による、風力発電装置を監視するための方法を具体的に示しており、この際、風力発電装置は、風力発電装置の運転状態を監視するために、ナセルの外側でナセルに、特にナセルの上に、音響センサを有する。
【００９７】
音響センサは、所定の信号に応じてオンにされ、この際、信号としては、風力発電装置の所定の内部信号３０１か、又は監視所の所定の外部信号３０２が使用される。オン３０４の後、音響センサ、即ちマイクロホンは、風力発電装置のナセルを取り巻く騒音の記録３０６を開始する。記録（記録内容）３０６は、引き続き、記録内の妨害信号を除去するために、所定のフィルタへ受け渡される：３０７。フィルタリング３０８は、一選択肢として、内部で、即ち特に音響センサを有する監視装置内で行われる。監視装置は、少なくとも１つの音響センサを含み、更にフィルタと評価ユニットを含むことが可能である。フィルタリング３０８は、代替的に外部で監視所において行うことも可能である。外部のフィルタリングのためには、記録された騒音は、例えばＷ−ＬＡＮを介して（信号）ストリームを用いて監視所へ伝送される。
【００９８】
フィルタリング３０８の後、騒音が評価される。評価３１０のためには、例えば、記録されてフィルタリングされた騒音を個々の周波数帯へ分解するスペクトル分析が実行される。そしてこれらの周波数帯を既知の周波数帯と比較することが可能である。これらの周波数帯の間にずれがある場合、その際には、更に処理される障害信号３１１が出力されるであろう。
【００９９】
障害信号３１１は、例えば、監視所における警告信号により実現可能であり、この際、監視所内のオペレータは、当該障害を排除するために、更なるステップを開始することができる。
【０１００】
図４は、概要４００として、有利な一実施形態による、風力発電装置を制御するための方法を具体的に示しており、この際、風力発電装置は、制御のために、ナセルの上に音響センサを有し、風力発電装置を監視するための前述の方法を含んでおり、更にこの際、風力発電装置は、記録された騒音に依存して外部から制御される。
【０１０１】
そのために、監視所、即ち外部の監視箇所は、風力発電装置に設けられた監視装置へ接続し４０１、この際、監視装置は、風力発電装置のナセルの上に配設された音響センサを含んでいる。
【０１０２】
マイクロホンとして実施されている音響センサは、ナセルを取り巻く騒音を記録し、これを監視所へ送る。つまり記録（記録内容）４０４が、監視所へ伝送される：４０５。
【０１０３】
そこで、記録された騒音がフィルタリングされ：４０６、引き続き、例えばスペクトル分析により評価される：４０８。
【０１０４】
評価４０８は、風力発電装置の運転手段に障害があるか否かを確認する：４０９。障害がない場合、監視所は、音響センサからオフとされるか：４２０、又は更に騒音を伝送することができる：４２１。障害がある場合、所定のデータベースを用いて風力発電装置を制御するための有利な制御値（制御パラメータ）を計算する制御データベースを用い、比較が行われる。そしてこの制御値４１１を用いて対応の運転手段が制御される。
【０１０５】
最も簡単な場合、監視所は、風力発電装置における不適切な流れ剥離を確認し、それからナセルの方位角をそれに対応して制御する。他の一例として、風力発電装置が停止状態にある場合、監視所は、風力発電装置の始動前にマイクロホンに接続する。この際、監視所は、ロータブレードにおける着氷を確認し、比較４１０に基づき加熱装置を用いてロータブレードを除氷するか、又は風力発電装置をまだ始動しないことを決定する。
【０１０６】
図５は、記録された騒音の評価５００、特にスペクトル分析を模式的に示している。
【０１０７】
当該評価において、先ずは、風力発電装置のナセルを取り巻く騒音５０２が、風力発電装置のナセルの上に配設されたマイクロホンを用いて記録される。
【０１０８】
そのように記録された騒音は、引き続き、実質的に妨害音のない騒音５０４へとフィルタリングされる。このことは、例えばハイパスフィルタ及び／又はローパスフィルタにより行うことができる。
【０１０９】
引き続き、フィルタリングされた騒音は、スペクトル分析を用いて所定の周波数帯５１０、５２０へ分解される。２つの周波数帯への分解は、原理を単に簡素化して説明するためのものであり、当該評価は、２つの周波数帯への分解に限定されるものではない。
【０１１０】
所定の周波数帯５１０、５２０は、既知の周波数帯５１２、５２２と比較される。周波数帯５１０は、例えば、ロータブレードの記録された騒音の周波数帯５１０に対応し、周波数帯５２０は、方位角調整装置の記録された騒音の周波数帯５２０に対応する。これらが、ロータブレードのために既知の周波数帯５１２、並びに方位角調整装置のために既知の周波数帯５２２と比較される。これらの既知の周波数帯は、例えば、シミュレーションにより工場から又は現地での測定により検出可能である。或いはまた、風力発電装置の継続運転中に、既知の周波数帯５１２、５２２を繰り返し反復的に決定することも可能である。
【０１１１】
周波数帯のこの比較によりずれが検出されるのであれば、このずれは、評価論理回路５３０へ受け渡され、そして評価論理回路５３０は、考えられる（potentielle）制御過程を互いに比較し、好ましい制御信号５３１を出力する。
【０１１２】
図５には、一例が示されており、そこでは、方位角調整装置の記録された周波数帯５２０が、方位角調整装置の既知の周波数帯５２２に対してずれを有している。このずれは、評価論理回路５３０へ受け渡され、評価論理回路５３０は、好ましい制御信号５３１を発生させる。例えば、確認されたずれを排除するために、ロータブレードの迎角が変更される。
【符号の説明】
【０１１３】
１００      風力発電装置
１０２      タワー
１０４      ナセル
１０６      ロータ
１０８      ロータブレード
１１０      スピナ
１１４      音響センサ
２００      風力発電装置
２０４      ナセル
２０６      ロータ
２０８      ロータブレード
２１２      器具支持体
２１４      音響センサ（マイクロホン）／監視装置
２１６      回転方向
２１８      流れ剥離
２３０      着氷／凍結
２３８      変化した流れ剥離
Ｗ          風
３００      風力発電装置を監視するための方法の概要
３０１      風力発電装置の所定の内部信号
３０２      監視所の所定の外部信号
３０４      音響センサ（マイクロホン）のオン
３０６      騒音の記録
３０７      フィルタへの受け渡し
３０８      フィルタリング
３１０      騒音の評価
３１１      障害信号
４００      風力発電装置を制御するための方法の概要
４０１      監視装置への接続
４０４      騒音の記録
４０５      監視所への伝送
４０６      フィルタリング
４０８      評価
４０９      障害の有無の確認
４１０      比較
４１１      制御値
４２０      音響センサからオフ
４２１      騒音の更なる伝送
５００      記録された騒音の評価
５０２      騒音
５０４      妨害音のない騒音
５１０      所定の周波数帯
５１２      既知の周波数帯
５２０      所定の周波数帯
５２２      既知の周波数帯
５３０      評価論理回路
５３１      制御信号
【図１】
2018529883.tif 000003
【図２ａ】
2018529883.tif 000004
【図２ｂ】
2018529883.tif 000005
【図３】
2018529883.tif 000006
【図４】
2018529883.tif 000007
【図５】
2018529883.tif 000008
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
ナセルを備えた風力発電装置を監視するための方法であって、
以下のステップ、即ち、
−  前記ナセルの外側で前記ナセルに配設された少なくとも１つの音響センサを用いて騒音を記録するステップと、
−  記録された騒音を、前記風力発電装置の運転状態を認識するために評価するステップと
を含むこと
を特徴とする方法。
【請求項２】
前記音響センサは、前記ナセルの上に配設されていること
を特徴とする、請求項１に記載の方法。
【請求項３】
前記運転状態を認識するために、前記風力発電装置の音響パワーレベルが記録されること
を特徴とする、請求項１又は２に記載の方法。
【請求項４】
騒音の記録は、方向感度をもって行われること
を特徴とする、請求項１〜３のいずれか一項に記載の方法。
【請求項５】
騒音の記録は、ロータブレードの着氷に割り当て可能な騒音が発生する少なくとも１つの周波数帯において行われること
を特徴とする、請求項１〜４のいずれか一項に記載の方法。
【請求項６】
騒音の記録及び／又は評価は、前記風力発電装置の停止状態において行われること
を特徴とする、請求項１〜５のいずれか一項に記載の方法。
【請求項７】
前記運転状態を認識するための記録された騒音の評価は、外部で、又は外部の所定の監視箇所により行われること
を特徴とする、請求項１〜６のいずれか一項に記載の方法。
【請求項８】
前記運転状態を認識するための記録された騒音の評価は、スペクトル分析を用いて行われること
を特徴とする、請求項１〜７のいずれか一項に記載の方法。
【請求項９】
少なくとも１つの風力発電装置の運転を制御するための方法であって、
以下のステップ、即ち、
−  風力発電装置のナセルの外側でナセルに配設された音響センサを用いて風力発電装置の騒音を記録するステップと、
−  記録された騒音を、前記音響センサを含む風力発電装置の運転状態を認識するために評価するステップと、
−  風力発電装置の運転を、前記音響センサを含む風力発電装置の前記運転状態に依存して制御するステップと
を含むこと
を特徴とする方法。
【請求項１０】
記録された騒音に依存し、少なくとも、
−  ロータブレードのピッチ角、
−  方位角、
−  風力発電装置の定格出力、及び、
−  風力発電装置の定格回転数
から成るリストから、少なくとも１つの状態が制御されること
を特徴とする、請求項９に記載の方法。
【請求項１１】
前記ナセルに配設された前記音響センサは、外部からの照会に対し、記録された騒音を、外部に提供し、又は照会を行った所定のユニットへ伝送すること
を特徴とする、請求項９又は１０に記載の方法。
【請求項１２】
前記音響センサは、自給式で、又は自給式の独立した装置として構成されており、及び／又は、前記風力発電装置又は風力発電装置は、記録された騒音に依存して外部から制御されること
を特徴とする、請求項９〜１１のいずれか一項に記載の方法。
【請求項１３】
請求項１〜８のいずれか一項に記載の風力発電装置を監視するための方法が使用されること
を特徴とする、請求項９〜１２のいずれか一項に記載の方法。
【請求項１４】
ナセルを備えた風力発電装置を監視するための監視装置であって、
−  前記ナセルの外側で前記ナセルに配設された、騒音を記録するための音響センサと、
−  前記風力発電装置の運転状態を認識するために、記録された騒音を評価するための評価装置と
を含んでいること
を特徴とする監視装置。
【請求項１５】
前記監視装置は、請求項１〜１３のいずれか一項に記載の方法を実行するように準備されており、及び／又は、前記音響センサは、複数のマイクロホン、又は複数のマイクロホンから成るアレーを有すること
を特徴とする、請求項１４に記載の監視装置。
【請求項１６】
データを交換するため、或いは前記音響センサにより記録されたデータを伝送するため、及び／又は前記評価装置により評価されたデータを伝送するために、データインタフェースが設けられていること
を特徴とする、請求項１４又は１５に記載の監視装置。
【請求項１７】
ナセルと、前記ナセルの外側で前記ナセルに配設された、騒音を記録するための少なくとも１つの音響センサとを備えた風力発電装置であって、
−  請求項１４〜１６のいずれか一項に記載の監視装置が設けられており、及び／又は、
−  請求項１〜１３のいずれか一項に記載の方法が実行されること
を特徴とする風力発電装置。
【請求項１８】
少なくとも２つの風力発電装置を含むウインドパークであって、
請求項１７に記載の風力発電装置が少なくとも１つ設けられており、及び／又は、請求項１〜１３のいずれか一項に記載の方法が実行されること
を特徴とするウインドパーク。
【請求項１９】
少なくとも２つの風力発電装置を含むウインドパークであって、
前記風力発電装置は、相互接続されており、請求項１４〜１６のいずれか一項に記載の監視装置の少なくとも１つを介してデータを交換するために準備されていること
を特徴とするウインドパーク。
【手続補正２】
【補正対象書類名】明細書
【補正対象項目名】００１１
【補正方法】変更
【補正の内容】
【００１１】
本発明により、請求項１に記載の方法が提案される。
即ち本発明の第１の視点により、ナセルを備えた風力発電装置を監視するための方法であって、以下のステップ、即ち、前記ナセルの外側で前記ナセルに配設された少なくとも１つの音響センサを用いて騒音を記録するステップと、記録された騒音を、前記風力発電装置の運転状態を認識するために評価するステップとを含むことを特徴とする方法が提供される。
また本発明の第２の視点により、少なくとも１つの風力発電装置の運転を制御するための方法であって、以下のステップ、即ち、風力発電装置のナセルの外側でナセルに配設された音響センサを用いて風力発電装置の騒音を記録するステップと、記録された騒音を、前記音響センサを含む風力発電装置の運転状態を認識するために評価するステップと、風力発電装置の運転を、前記音響センサを含む風力発電装置の前記運転状態に依存して制御するステップとを含むことを特徴とする方法が提供される。
更に本発明の第３の視点により、ナセルを備えた風力発電装置を監視するための監視装置であって、前記ナセルの外側で前記ナセルに配設された、騒音を記録するための音響センサと、前記風力発電装置の運転状態を認識するために、記録された騒音を評価するための評価装置とを含んでいることを特徴とする監視装置が提供される。
更に本発明の第４の視点により、ナセルと、前記ナセルの外側で前記ナセルに配設された、騒音を記録するための少なくとも１つの音響センサとを備えた風力発電装置であって、前記監視装置が設けられており、及び／又は、前記方法が実行されることを特徴とする風力発電装置が提供される。
更に本発明の第５の視点により、少なくとも２つの風力発電装置を含むウインドパークであって、前記風力発電装置が少なくとも１つ設けられており、及び／又は、前記方法が実行されることを特徴とするウインドパークが提供される。
更に本発明の第６の視点により、少なくとも２つの風力発電装置を含むウインドパークであって、前記風力発電装置は、相互接続されており、前記監視装置の少なくとも１つを介してデータを交換するために準備されていることを特徴とするウインドパークが提供される。
尚、本願の特許請求の範囲において場合により付記される図面参照符号は、専ら本発明の理解の容易化のためのものであり、図示の形態への限定を意図するものではないことを付言する。
【手続補正３】
【補正対象書類名】明細書
【補正対象項目名】００１２
【補正方法】変更
【補正の内容】
【００１２】
本発明において、以下の形態が可能である。
（形態１）ナセルを備えた風力発電装置を監視するための方法であって、以下のステップ、即ち、前記ナセルの外側で前記ナセルに配設された少なくとも１つの音響センサを用いて騒音を記録するステップと、記録された騒音を、前記風力発電装置の運転状態を認識するために評価するステップとを含むこと。
（形態２）形態１に記載の方法において、前記音響センサは、前記ナセルの上に配設されていることが好ましい。
（形態３）形態１又は２に記載の方法において、前記運転状態を認識するために、前記風力発電装置の音響パワーレベルが記録されることが好ましい。
（形態４）形態１〜３のいずれかに記載の方法において、騒音の記録は、方向感度をもって行われることが好ましい。
（形態５）形態１〜４のいずれかに記載の方法において、騒音の記録は、ロータブレードの着氷に割り当て可能な騒音が発生する少なくとも１つの周波数帯において行われることが好ましい。
（形態６）形態１〜５のいずれかに記載の方法において、騒音の記録及び／又は評価は、前記風力発電装置の停止状態において行われることが好ましい。
（形態７）形態１〜６のいずれかに記載の方法において、前記運転状態を認識するための記録された騒音の評価は、外部で、特に所定の監視箇所により行われることが好ましい。
（形態８）形態１〜７のいずれかに記載の方法において、前記運転状態を認識するための記録された騒音の評価は、スペクトル分析を用いて行われることが好ましい。
（形態９）少なくとも１つの風力発電装置の運転を制御するための方法であって、以下のステップ、即ち、風力発電装置のナセルの外側でナセルに配設された音響センサを用いて風力発電装置の騒音を記録するステップと、記録された騒音を、前記音響センサを含む風力発電装置の運転状態を認識するために評価するステップと、風力発電装置の運転を、前記音響センサを含む風力発電装置の前記運転状態に依存して制御するステップとを含むこと。
（形態１０）形態９に記載の方法において、記録された騒音に依存し、少なくとも、ロータブレードのピッチ角、方位角、風力発電装置の定格出力、及び、風力発電装置の定格回転数から成るリストから、少なくとも１つの状態が制御されることが好ましい。
（形態１１）形態９又は１０に記載の方法において、前記ナセルに配設された前記音響センサは、外部からの照会に対し、記録された騒音を、外部に提供し、特に照会を行った所定のユニットへ伝送することが好ましい。
（形態１２）形態９〜１１のいずれかに記載の方法において、前記音響センサは、自給式で、特に独立した装置として構成されており、及び／又は、前記風力発電装置又は風力発電装置は、記録された騒音に依存して外部から制御されることが好ましい。
（形態１３）形態９〜１２のいずれかに記載の方法において、形態１〜８のいずれかに記載の風力発電装置を監視するための方法が使用されることが好ましい。
（形態１４）ナセルを備えた風力発電装置を監視するための監視装置であって、前記ナセルの外側で前記ナセルに配設された、騒音を記録するための音響センサと、前記風力発電装置の運転状態を認識するために、記録された騒音を評価するための評価装置とを含んでいること。
（形態１５）形態１４に記載の監視装置において、前記監視装置は、形態１〜１３のいずれかに記載の方法を実行するように準備されており、及び／又は、前記音響センサは、複数のマイクロホン、特に複数のマイクロホンから成るアレーを有することが好ましい。
（形態１６）形態１４又は１５に記載の監視装置において、データを交換するため、特に前記音響センサにより記録されたデータを伝送するため、及び／又は前記評価装置により評価されたデータを伝送するために、データインタフェースが設けられていることが好ましい。
（形態１７）ナセルと、前記ナセルの外側で前記ナセルに配設された、騒音を記録するための少なくとも１つの音響センサとを備えた風力発電装置であって、形態１４〜１６のいずれかに記載の監視装置が使用され、及び／又は、形態１〜１３のいずれかに記載の方法が実行されること。
（形態１８）少なくとも２つの風力発電装置を含むウインドパークであって、形態１７に記載の風力発電装置が少なくとも１つ使用され、及び／又は、形態１〜１３のいずれかに記載の方法が実行されること。
（形態１９）少なくとも２つの風力発電装置を含むウインドパークであって、前記風力発電装置は、相互接続されており、特に形態１４〜１６のいずれかに記載の監視装置の少なくとも１つを介してデータを交換するために準備されていること。
【国際調査報告】
2018529883.tif 000009
2018529883.tif 000010
2018529883.tif 000011
2018529883.tif 000012
2018529883.tif 000013
2018529883.tif 000014